(57)【要約】【課題】単純な構成で、確実に抜け止めする分岐用接続器、コード付延長用接続器及び配線用差込接続器を提供する。【解決手段】差込式マルチタップ１は、筐体１０と、筐体１０の一方側に位置するプラグ栓刃２１と、プラグ栓刃２１と電気的に接続した刃受けと、刃受けに対応した刃受け孔２７とを備え、一方側にはプラグ栓刃２１を接続するコード接続式マルチタップ３と嵌合する凸部１６を有し、プラグ栓刃２１は、凸部１６に設けられ、筐体１０の伸長方向に対する交差方向に伸長する。コード接続式マルチタップ３は、筐体３０Ｂと、筐体３０Ｂの一方側から伸長するコード３０Ａと、コード３０Ａと電気的に接続した刃受けと、刃受けに対応して設ける刃受け孔とを備え、他方側には刃受けに接続するプラグ栓刃２１を有する差込式マルチタップ１と嵌合する凹部を有し、刃受け孔は、凹部に設けられ、筐体３０Ｂの伸長方向に対する交差方向に伸長するように貫通する。【選択図】図１
2019186071.tif 000002
【特許請求の範囲】
【請求項１】
筐体と、
前記筐体の一方側に位置するプラグ栓刃と、
前記一方側から前記筐体の他方側に向かって各々離間して位置し、前記プラグ栓刃と電気的に各々接続した複数の刃受けと、
前記複数の刃受けに対応して設ける複数の刃受け孔とを備える分岐用接続器において、
前記一方側には、前記プラグ栓刃を接続するコード付延長用接続器と嵌合する第１の嵌合部を有し、
前記プラグ栓刃は、前記第１の嵌合部に設けられ、前記一方側から前記他方側に伸長する方向に対して交差する方向に伸長することを特徴とする分岐用接続器。
【請求項２】
前記第１の嵌合部は、前記筐体から前記一方側に突出する凸部である
請求項１記載の分岐用接続器。
【請求項３】
前記第１の嵌合部は、前記コード付延長用接続器とかみ合う第１のかみ合い部を有し、
前記第１のかみ合い部は、前記プラグ栓刃の伸長する方向に沿って伸長する
請求項１又は請求項２記載の分岐用接続器。
【請求項４】
前記筐体は、前記一方側に、前記コード付延長用接続器とかみ合う突片を有し、
前記突片は、前記プラグ栓刃の伸長する方向に沿って伸長する
請求項１〜請求項３いずれか１項記載の分岐用接続器。
【請求項５】
前記プラグ栓刃の伸長する方向の端において、前記筐体と前記突片との間に段差部を有する
請求項４記載の分岐用接続器。
【請求項６】
筐体と、
前記筐体の一方側から伸長し電源を供給するコードと、
前記一方側から前記筐体の他方側に向かって離間して位置し、前記コードと電気的に接続した刃受けと、
前記刃受けに対応して設ける刃受け孔とを備えるコード付延長用接続器において、
前記他方側には、前記刃受けに接続するプラグ栓刃を有する分岐用接続器と嵌合する第２の嵌合部を有し、
前記刃受け孔は、前記第２の嵌合部に設けられ、前記一方側から前記他方側に伸長する方向に対して交差する方向に伸長するように貫通することを特徴とするコード付延長用接続器。
【請求項７】
前記第２の嵌合部は、前記筐体から前記一方側にくぼむ凹部である
請求項６記載のコード付延長用接続器。
【請求項８】
前記凹部を両外側から挟み、前記刃受け孔の伸長する方向に沿って突出する壁部を有する
請求項７記載のコード付延長用接続器。
【請求項９】
前記第２の嵌合部は、前記分岐用接続器とかみ合う第２のかみ合い部を有し、
前記第２のかみ合い部は、前記刃受け孔の伸長する方向に沿って伸長する
請求項６〜請求項８いずれか１項記載のコード付延長用接続器。
【請求項１０】
前記筐体は、前記他方側に、前記分岐用接続器とかみ合う軌道溝を有し、
前記軌道溝は、前記刃受け孔の伸長する方向に沿って伸長する
請求項６〜請求項９いずれか１項記載のコード付延長用接続器。
【請求項１１】
請求項１〜請求項５いずれか１項記載の分岐用接続器と、
請求項６〜請求項１０いずれか１項記載のコード付延長用接続器とを備える配線用差込接続器。
【発明の詳細な説明】
【技術分野】
【０００１】
本発明は、オフィスや一般家庭の壁面等に設けられたプラグ受け（コンセント）まで供給されている商用電源を延長接続する分岐用接続器、コード付延長用接続器及び配線用差込接続器に関し、特に壁面等に固定しないで使用する分岐用接続器、コード付延長用接続器及び配線用差込接続器に関する。
【背景技術】
【０００２】
１つのプラグ受けから商用電源を延長接続するとともに複数に分岐接続ができ、壁面や床面等に固定しないで使用する接続器として差込式マルチタップ（電源タップ）やコード接続式マルチタップ（テーブルタップ）等が知られている（一例として特許文献１参照）。このような従来の電源タップは、テーブルタップの電源コード（コード）が取り付けられている側とは反対側に、プラグ受け（コンセント）に取付け可能なプラグ部分（差込プラグ）を有している。そして、テーブルタップと外観形状が統一化されている１つ以上の電源タップを数珠繋ぎのように複数の連結が可能となっている。この電源タップによれば、形状をシンプルに、出っ張りを生じさせずにコンセント部を増設することができる。
【先行技術文献】
【特許文献】
【０００３】
【特許文献１】特開２００３−２３４１５９号公報、図１、図２
【発明の概要】
【発明が解決しようとする課題】
【０００４】
しかしながら、このような従来の差込式マルチタップでは、コード接続式マルチタップとの接続箇所がコード接続式マルチタップに取り付けられているコードが伸長する方向、すなわち配線の延長線上にある。その上、コード接続式マルチタップと差込式マルチタップとの挿抜方向が配線の延長方向と同じである。このため、コード接続式マルチタップのコードや、差込式マルチタップに接続されている電気機器が引っ張られることで、差込式マルチタップは、コード接続式マルチタップから意図せず抜けてしまうことがある。そして、コード接続式マルチタップや、差込式マルチタップに外力がかかると、コード接続式マルチタップの刃受けと差込式マルチタップのプラグ栓刃との接触状態が不安定になって発熱が生じてしまう可能性がある。
【０００５】
他方で、プラグ栓刃と刃受けとを抜け止めするために、これらに、突起や、ストッパを設けることは、プラグ栓刃及び刃受けの通電断面積に影響が及び、やはり接触状態が不安定になってしまう可能性がある。その上、プラグ栓刃や刃受けに、これらの抜け止め機構を設けることは、部品数が増加したり、構造が複雑化したりして組立てが煩雑なものとなり、製造費用がかさんでしまう。
【０００６】
以上のような従来技術を背景になされたのが本発明である。本発明の目的は、単純な構成で、確実な抜け止めが実現される分岐用接続器、コード付延長用接続器及び配線用差込接続器を提供することにある。
【課題を解決するための手段】
【０００７】
上記目的を達成すべく本発明は、以下の特徴を有するものとして構成される。
【０００８】
すなわち、本発明は、筐体と、前記筐体の一方側に位置するプラグ栓刃と、前記一方側から前記筐体の他方側に向かって各々離間して位置し、前記プラグ栓刃と電気的に各々接続した複数の刃受けと、前記複数の刃受けに対応して設ける複数の刃受け孔とを備える分岐用接続器において、前記一方側には、前記プラグ栓刃を接続するコード付延長用接続器と嵌合する第１の嵌合部を有し、前記プラグ栓刃は、前記第１の嵌合部に設けられ、前記一方側から前記他方側に伸長する方向に対して交差する方向に伸長することを特徴とする。
【０００９】
本発明によれば、プラグ栓刃が筐体の一方側から他方側に伸長する方向に対して交差する方向に伸長するので、特に筐体の伸長する方向に引っ張り等の外力が作用しても、その分力がプラグ栓刃の挿抜力としては作用せず、コード付延長用接続器からプラグ栓刃を抜けにくくすることができる。
【００１０】
前記第１の嵌合部は、前記筐体から前記一方側に突出する凸部であるように構成できる。
【００１１】
本発明によれば、第１の嵌合部が筐体から一方側に突出する凸部であるため、コード付延長用接続器と容易に嵌合構造を形成することができる。そして、その嵌合構造によって、プラグ栓刃とコード付延長用接続器との間に塵埃等の異物が侵入することを防ぐことができる。
【００１２】
前記第１の嵌合部は、前記コード付延長用接続器とかみ合う第１のかみ合い部を有し、前記第１のかみ合い部は、前記プラグ栓刃の伸長する方向に沿って伸長するように構成できる。
【００１３】
本発明によれば、コード付延長用接続器とかみ合う第１のかみ合い部がプラグ栓刃の伸長する方向に沿って伸長するので、特に筐体の伸長する方向に引っ張り等の外力が作用しても、その分力がプラグ栓刃の挿抜力としては作用せず、コード付延長用接続器からプラグ栓刃をより抜けにくくすることができる。
【００１４】
前記筐体は、前記一方側に、前記コード付延長用接続器とかみ合う突片を有し、前記突片は、前記プラグ栓刃の伸長する方向に沿って伸長するように構成できる。
【００１５】
本発明によれば、筐体がコード付延長用接続器とかみ合う突片を有するので、分岐用接続器に対してコード付延長用接続器を連結する際に正しい位置で嵌合するように案内することができる。さらに、本発明によれば、コード付延長用接続器とかみ合う突片が分岐用接続器とコード付延長用接続器とが連結している際の外力を受け止めることができるので、双方の間に生じる応力を分散することができる。
【００１６】
前記プラグ栓刃の伸長する方向の端において、前記筐体と前記突片との間に段差部を有するように構成できる。
【００１７】
本発明によれば、段差部によって、分岐用接続器をコード付延長用接続器に対して連結し始める際に、プラグ栓刃の伸長する方向（伸長方向）において双方が重なる領域（仮置きの領域）を作り出すことができる。すなわち、伸長方向に対する交差する方向（交差方向）において、コード付延長用接続器に対する分岐用接続器のずれを外観から認識しやすくすることができる。これによって、コード付延長用接続器と突片の伸長方向における端とが接触した状態で交差方向において分岐用接続器の位置を調整することができ、コード付延長用接続器に対する分岐用接続器の連結をより容易にすることができる。
【００１８】
さらに、本発明は、筐体と、前記筐体の一方側から伸長し電源を供給するコードと、前記一方側から前記筐体の他方側に向かって離間して位置し、前記コードと電気的に接続した刃受けと、前記刃受けに対応して設ける刃受け孔とを備えるコード付延長用接続器において、前記他方側には、前記刃受けに接続するプラグ栓刃を有する分岐用接続器と嵌合する第２の嵌合部を有し、前記刃受け孔は、前記第２の嵌合部に設けられ、前記一方側から前記他方側に伸長する方向に対して交差する方向に伸長するように貫通することを特徴とする。
【００１９】
本発明によれば、刃受け孔が筐体の一方側から他方側に伸長する方向に対して交差する方向に伸長するように貫通するので、特に筐体の伸長する方向に引っ張り等の外力が作用しても、その分力が刃受け孔に差し込まれた差込プラグの挿抜力としては作用せず、刃受け孔から差込プラグを抜けにくくすることができる。
【００２０】
前記第２の嵌合部は、前記筐体から前記一方側にくぼむ凹部であるように構成できる。
【００２１】
本発明によれば、第２の嵌合部が筐体から一方側にくぼむ凹部であるため、分岐用接続器と容易に嵌合構造を形成することができる。そして、その嵌合構造によって、刃受け孔と分岐用接続器との間に塵埃等の異物が侵入することを防ぐことができる。
【００２２】
前記凹部を両外側から挟み、前記刃受け孔の伸長する方向に沿って突出する壁部を有するように構成できる。
【００２３】
前記本発明は、凹部を両外側から挟み、刃受け孔の伸長する方向に沿って突出する壁部を有するので、分岐用接続器との嵌合構造が壁部より内側に位置して露出しない。このため、分岐用接続器との嵌合構造に指等が意図せずに当たってコード付延長用接続器から分岐用接続器が抜けてしまうことがない。
【００２４】
前記第２の嵌合部は、前記分岐用接続器とかみ合う第２のかみ合い部を有し、前記第２のかみ合い部は、前記刃受け孔の伸長する方向に沿って伸長するように構成できる。
【００２５】
本発明によれば、分岐用接続器とかみ合う第２のかみ合い部が刃受け孔の伸長する方向に沿って伸長するので、特に筐体の伸長する方向に引っ張り等の外力が作用しても、その分力が挿抜力としては作用せず、刃受け孔から差込プラグをより抜けにくくすることができる。
【００２６】
前記筐体は、前記他方側に、前記分岐用接続器とかみ合う軌道溝を有し、前記軌道溝は、前記刃受け孔の伸長する方向に沿って伸長するように構成できる。
【００２７】
本発明によれば、筐体が分岐用接続器とかみ合う軌道溝を有するので、コード付延長用接続器に対して分岐用接続器を連結する際に正しい位置で嵌合するように案内することができる。さらに、本発明によれば、分岐用接続器とかみ合う軌道溝がコード付延長用接続器と分岐用接続器とが連結している際の外力を受け止めることができるので、双方の間に生じる応力を分散することができる。
【００２８】
さらに、本発明は、いずれかの前記本発明の分岐用接続器と、いずれかの前記本発明のコード付延長用接続器とを備える。
【００２９】
本発明によれば、プラグ栓刃が筐体の一方側から他方側に伸長する方向に対して交差する方向に伸長し、刃受け孔が同方向に貫通するので、特に筐体の伸長する方向に引っ張り等の外力が作用しても、その分力がプラグ栓刃の挿抜力としては作用せず、刃受け孔からプラグ栓刃を抜けにくくすることができる。
【発明の効果】
【００３０】
本発明の配線用差込接続器によれば、比較的単純な構成でありながら、連結されている接続器同士の抜け止めを機能させることができる。したがって、本発明によれば、抜け止め機能を有する分岐用接続器、コード付延長用接続器及び配線用差込接続器を提供することができる。
【図面の簡単な説明】
【００３１】
【図１】一実施形態によるマルチタップ組合せ体の分解斜視図。
【図２】図１のマルチタップ組合せ体の斜視図。
【図３】差込式マルチタップの平面図。
【図４】図３の差込式マルチタップの正面図。
【図５】コード接続式マルチタップの分解斜視図。
【図６】図５のコード接続式マルチタップの底面図。
【発明を実施するための形態】
【００３２】
以下、本発明の「配線用差込接続器」の一実施形態としてのマルチタップ組合せ体１００について図面を参照しつつ説明する。以下の実施形態で例示するマルチタップ組合せ体１００は、「分岐用接続器」としての１つの差込式マルチタップ１と、「コード付延長用接続器」としての１つのコード接続式マルチタップ３とが組み合わされたものである。しかしながら、本発明の「配線用差込接続器」は、差込式マルチタップ１とコード接続式マルチタップ３とが１つずつ組み合わされたものに限定されず、それぞれが複数の構成であっても構わない。
【００３３】
本明細書及び特許請求の範囲に記載されている「第１」、「第２」という用語は、発明の異なる構成要素を区別するために用いるものであり、特定の順序や優劣等を示すために用いるものではない。
【００３４】
本明細書、図面及び特許請求の範囲では、便宜上、図１等に示されるように、マルチタップ組合せ体１００の短手方向（幅方向、左右方向）をＸ方向、長手方向（奥行き方向、前後方向）をＹ方向、高さ方向（上下方向、差込式マルチタップ１に対するコード接続式マルチタップ３の挿抜方向）をＺ方向として説明する。
【００３５】
より具体的に、マルチタップ組合せ体１００におけるＹ方向は、差込式マルチタップ１の設置側を「前（手前）側」とし、コード接続式マルチタップ３の設置側、特にコード３０Ａの取り付けられている側を「後（奥）側」として説明する。さらに、Ｚ方向は、図２で示すように、差込式マルチタップ１に対してコード接続式マルチタップ３が連結される際に、差込式マルチタップ１の設置側を「下側」とし、コード接続式マルチタップ３の配置側を「上側」として説明する。しかしながら、それらは、コード接続式マルチタップ３の差込式マルチタップ１への取付方向や取付方法を限定するものではない。
【００３６】
マルチタップ組合せ体１００
【００３７】
マルチタップ組合せ体１００は、１つのプラグ受け（コンセント）から商用電源を延長接続するとともに複数に分岐接続ができ、壁面や床面等に固定しないで使用する複数の接続器の組合せ体である。マルチタップ組合せ体１００は、図１で示すように、差込式マルチタップ１と、コード接続式マルチタップ３とを有して構成されている。差込式マルチタップ１とコード接続式マルチタップ３とは、図１の脱状態及び図２の着状態で示すように、着脱自在に構成されている。そして、差込式マルチタップ１とコード接続式マルチタップ３とが連結された際に、商用電源は、コード接続式マルチタップ３から差込式マルチタップ１に向けて供給される。
【００３８】
差込式マルチタップ１
【００３９】
差込式マルチタップ１は、入力された商用電源を複数に分岐接続する「分岐用接続器」として構成されている。差込式マルチタップ１は、図１及び図２で示すように、升状の底部１１と、底部１１の形状に対応して升状の天地が逆転した形状の蓋部１２とを有している。底部１１及び蓋部１２は、電気絶縁性の樹脂による成形体であって、差込式マルチタップ１の筐体１０を構成する。そして、差込式マルチタップ１は、Ｚ方向における下側に位置する底部１１に対して上側から蓋部１２が覆うように連結することで、「一方側」としてのＹ方向における後方から「他方側」としてのＹ方向における前方により長く伸長する中空の直方体状に形成されている。
【００４０】
底部１１と蓋部１２とが連結することによって、差込式マルチタップ１のＹ方向における後端には、ＸＺ平面に沿って伸長する差込側後壁部１３が形成され、Ｘ方向における両外端には、それぞれＹＺ平面に沿って伸長する差込側横壁部１４、１４が形成される。差込側後壁部１３及び差込側横壁部１４、１４は、いずれも差込式マルチタップ１の底面を形成する差込側下壁部１５と交差する方向に伸長している。
【００４１】
差込式マルチタップ１は、「第１の嵌合部」としての凸部１６を「一方側」としてのＹ方向における後方に有している。凸部１６は、コード接続式マルチタップ３に対する差込式マルチタップ１の特にＹ方向における抜け止め機能を果たす部位である。凸部１６は、図１、図３及び図４で示すように、差込式マルチタップ１の直方体状の構造における差込側後壁部１３からＹ方向における後方にはみ出すように突出して形成されている。凸部１６は、差込側後壁部１３から底部１１の差込側下壁部１５と面一に伸長する下面部１７を底面とした中空の直方体状に形成されている。凸部１６は、先端面部１８と、上面部１９と、２つの側面部２０、２０とを有している。先端面部１８は、２つの側面部２０、２０におけるそれぞれの後端の間をＸ方向及びＺ方向に沿って伸長している。
【００４２】
上面部１９は、図３及び図４で示すように、先端面部１８及び２つの側面部２０、２０の３方で囲まれた領域において、先端面部１８及び２つの側面部２０、２０のＺ方向における上端と面一にＸＹ平面に沿って伸長している。
【００４３】
上面部１９には、導電性金属によって凸状（直方体状）に形成されている一対のプラグ栓刃２１が設けられている。プラグ栓刃２１は、コンセント等のプラグ受けに差し込まれることによって商用電源の供給を受ける部位である。一対のプラグ栓刃２１は、図３で示すように、平面視で凸部１６の領域内に形成されている。
【００４４】
一対のプラグ栓刃２１は、図１及び図３で示すように、Ｙ方向（差込側後壁部１３からの凸部１６の突出する方向）及びＺ方向（差込式マルチタップ１に対するコード接続式マルチタップ３の挿抜方向）に沿って互いに平行に伸長している。一対のプラグ栓刃２１は、双方ともに上面部１９を貫通しており、図４で示すように、Ｚ方向における上方に突出している。すなわち、プラグ栓刃２１は、筐体１０のＹ方向における後側から前側に伸長する方向に対して交差する方向に伸長している。そして、一対のプラグ栓刃２１は、コード接続式マルチタップ３に対する挿抜方向がＺ方向に沿うように構成されている。一対のプラグ栓刃２１は、Ｚ方向に沿って伸長しているため、差込式マルチタップ１に対して特にＹ方向に引っ張り等の外力が作用してもプラグ受けから抜けにくくなっている。
【００４５】
上面部１９は、プラグ栓刃２１のＺ方向における長さとの和が差込式マルチタップ１のＺ方向における長さよりも短くなるように、凸部１６のＺ方向における下端の下面部１７からの高さを有して形成されていれば良い。これによって、差込式マルチタップ１とコード接続式マルチタップ３とが連結した際に、マルチタップ組合せ体１００の直方体状の構造からＺ方向にはみ出す部分が形成されてしまうことを防ぐことができる。Ｚ方向からはみ出す部分があると、マルチタップ組合せ体１００の設置の際に隙間ができて不安定な状態となってしまったり、差込式マルチタップ１がコード接続式マルチタップ３から意図せず抜けてしまったりすることがある。  
【００４６】
ここでは、一対のプラグ栓刃２１として、日本の一般家庭やオフィス等で用いられている定格電流が１５Ａで、定格電圧が１２５Ｖの平行な２極のコンセントに対応する形状を例示している。しかしながら、プラグ栓刃２１は、互いに平行ではない２極のプラグや円筒状のプラグ等の世界中で用いられている種々の形状であっても良い。さらに、プラグ栓刃２１は、接地極等を含んだ３本以上による構成であっても良い。
【００４７】
２つの側面部２０、２０は、Ｙ方向とＺ方向とに沿ってそれぞれ伸長している。側面部２０、２０の間の距離は、図３で示すように、差込式マルチタップ１のＸ方向（短手方向）における長さ、すなわち、２つの差込側横壁部１４、１４の間隔よりも小さく形成されている。したがって、凸部１６は、差込式マルチタップ１のＸ方向（短手方向）において、差込式マルチタップ１の直方体状の構造よりも小さい幅を有している。
【００４８】
２つの側面部２０、２０のそれぞれは、「第１のかみ合い部」としてのかみ合い溝２２、２２を有している。かみ合い溝２２、２２は、差込式マルチタップ１とコード接続式マルチタップ３との連結中及び連結後において、双方の連結方向（プラグ栓刃２１の挿抜方向）と交差する方向、特にＹ方向に互いにずれることを規制する機能を果たす部位である。
【００４９】
かみ合い溝２２、２２のそれぞれは、図３で示すように、平面視で２つの側面部２０、２０からＸ方向において互いに近づく方向にくぼんでおり、Ｘ方向と比べてＹ方向により長い長方形状とされている。そして、かみ合い溝２２、２２のそれぞれは、図４で示すように、凸部１６のＺ方向における上端から下端まで形成されており、Ｚ方向に沿って直方体状に欠落した形状とされている。かみ合い溝２２、２２は、プラグ栓刃２１の伸長する方向、すなわち、コード接続式マルチタップ３に対するプラグ栓刃２１の挿抜方向に沿って伸長している。
【００５０】
蓋部１２は、Ｙ方向における後側に２つの突片２３、２３を有している。突片２３、２３は、差込式マルチタップ１をコード接続式マルチタップ３に対して連結するに際して正しい位置に案内する機能を果たす部位である。突片２３、２３は、図１、図３及び図４で示すように、差込式マルチタップ１の直方体状の構造からはみ出すように形成されている。突片２３、２３は、図３で示すように、それぞれ平面視でＬ字状に形成されており、差込側後壁部１３からＹ方向における後方に突出し、それぞれが突出した後端からＸ方向（差込式マルチタップ１の短手方向）における外側に向かって屈曲している。突片２３、２３は、ＸＹ平面に沿ったこのような構造がプラグ栓刃２１の挿抜方向に沿って伸長している。
【００５１】
突片２３、２３は、双方ともに蓋部１２のＺ方向における下端から上方に伸長しており、蓋部１２の上下方向の中途まで形成されている。すなわち、突片２３、２３は、蓋部１２の上側の領域には形成されていない。そして、差込式マルチタップ１は、図４で示すように、蓋部１２及び突片２３、２３のプラグ栓刃２１の伸長する方向の端において、蓋部１２の上端である蓋部上端部２４と突片２３、２３の上端である突片上端部２５との間に段差部２６を有している。
【００５２】
この段差部２６によって、差込式マルチタップ１をコード接続式マルチタップ３に対して連結し始める際に、Ｚ方向において双方が重なる領域（仮置きの領域）を作り出すことができる。すなわち、Ｘ方向及びＹ方向において、コード接続式マルチタップ３に対する差込式マルチタップ１のずれを外観から認識しやすくすることができる。これによって、コード接続式マルチタップ３と突片２３、２３の上端とが接触した状態でＸ方向とＹ方向とにおいて差込式マルチタップ１の位置を調整することができ、コード接続式マルチタップ３に対する差込式マルチタップ１の連結をより容易にすることができる。
【００５３】
プラグ栓刃２１の位置するＹ方向における後側から筐体１０のＹ方向における前側に向かって各々離間するように複数の刃受け孔２７、・・・、２７が位置している。複数の刃受け孔２７、・・・、２７は、図１及び図２で示すように、一方側の差込側横壁部１４における蓋部１２と底部１１との境界付近及び蓋部１２の天面にそれぞれ二対、合計四対凹状に形成されている。そして、差込式マルチタップ１は、刃受け孔２７、・・・、２７に対応してそれぞれ配置される導電性金属製の図示せぬ刃受けを有している。プラグ栓刃２１と刃受けとの間は、導電性金属製の図示せぬ接続端子によって電気的に各々接続されており、差込式マルチタップ１は、各刃受けに商用電源が供給されるように構成されている。そして、いずれかの刃受け孔２７に、電気機器の差込プラグの刃が差し込まれることによってその電気機器に商用電源が供給されることとなる。
【００５４】
なお、差込式マルチタップ１は、刃受け孔２７の配置及び数についての制限はなく、必要に応じて刃受け孔２７の数を増減させて配置することができる。さらに、差込式マルチタップ１は、ＵＳＢ（Universal Serial Bus：ユニバーサル・シリアル・バス）給電機能を有していても良く、差込側横壁部１４、１４や蓋部１２の天面等には、ＵＳＢポートを形成することができる。さらに差込式マルチタップ１の各刃受け孔２７には、オン／オフスイッチを設けるようにしてもよい。
【００５５】
コード接続式マルチタップ３
【００５６】
コード接続式マルチタップ３は、入力された商用電源を延長接続する「コード付延長用接続器」として構成されている。コード接続式マルチタップ３は、図５で示すように、升状の底部３１と、底部３１の形状に対応して升状の天地が逆転した形状の蓋部３２とを有している。底部３１及び蓋部３２は、電気絶縁性の樹脂による成形体であって、コード接続式マルチタップ３の筐体３０Ｂを構成する。そして、コード接続式マルチタップ３は、Ｚ方向における下側に位置する底部３１に対して上側から蓋部３２が覆うように連結することで、「一方側」としてのＹ方向における後方から「他方側」としてのＹ方向における前方により長く伸長する中空の直方体状に形成されている（図１及び図２参照）。例えば、コード接続式マルチタップ３は、Ｘ方向及びＺ方向において差込式マルチタップ１と同じ長さを有して構成されている（図２参照）。
【００５７】
底部３１と蓋部３２とが連結することによって、コード接続式マルチタップ３のＹ方向における前端には、ＸＺ平面に沿って伸長するコード側前壁部３３が形成され、Ｘ方向における両外端には、それぞれＹＺ平面に沿って伸長するコード側横壁部３４、３４が形成される（図１及び図６参照）。コード側前壁部３３及びコード側横壁部３４、３４は、いずれもコード接続式マルチタップ３の底面を形成するコード側下壁部３５と交差する方向に伸長している。
【００５８】
コード接続式マルチタップ３は、図２で示すように、差込式マルチタップ１と連結した際に、コード側前壁部３３が差込側後壁部１３と接するように構成されている。さらに、コード接続式マルチタップ３は、差込式マルチタップ１と連結した際に、コード側横壁部３４、３４がそれぞれ差込側横壁部１４、１４と双方ともに面一となるように構成されている。さらに、コード接続式マルチタップ３は、差込式マルチタップ１と連結した際に、コード側下壁部３５が差込側下壁部１５と面一となるように構成されている。これによって、マルチタップ組合せ体１００の設置の際に隙間ができて不安定な状態となってしまったり、差込式マルチタップ１がコード接続式マルチタップ３から意図せず抜けてしまったりすることがない。そして、マルチタップ組合せ体１００は、差込式マルチタップ１とコード接続式マルチタップ３とが組み合わさった際に、ちょうど一体化した直方体状となるように構成されている。
【００５９】
コード接続式マルチタップ３には、図６で示すように、Ｙ方向における後端に位置するようにコード３０Ａが取り付けられており、そして、図５で示すように、筐体３０Ｂの内部にまで導入されている。コード３０Ａは、オフィスや一般家庭の壁面等に設けられたプラグ受け（コンセント）まで供給されている商用電源（電源）をコード接続式マルチタップ３の内部にまで延長（供給）する部位である。コード３０Ａは、図６で示すように、コード接続式マルチタップ３のＹ方向における後端からＹ方向に沿って伸長しており、その先の図示せぬ範囲においては高い柔軟性を有して自在に湾曲させられるように構成されている。したがって、コード３０Ａに対して強い外力が、特に引っ張りの方向に作用すると、コード接続式マルチタップ３には、後方に向かう力が作用することとなる。
【００６０】
筐体３０Ｂの内部に導入されたコード３０Ａの先端は、導電性金属製の刃受け３６と電気的に接続している。刃受け３６は、刃受けばねとも称され、二股に分かれた先端部でプラグ受けに差し込まれたプラグ栓刃２１を挿入方向に交差する方向から挟むようにして保持するように構成されている。コード接続式マルチタップ３は、オフィスや一般家庭の壁面等に設けられたプラグ受け（コンセント）からコード３０Ａを介して刃受け３６に商用電源が供給されるように構成されている。そして、コード接続式マルチタップ３は、プラグ受けに差し込まれたプラグ栓刃２１に対して商用電源を供給するように構成されている。
【００６１】
コード接続式マルチタップ３は、「第２の嵌合部」としての凹部３７を「他方側」としてのＹ方向における前方に有している。凹部３７は、差込式マルチタップ１の凸部１６と嵌合するように構成されている。そして、凹部３７は、コード接続式マルチタップ３に対する差込式マルチタップ１の特にＹ方向における抜け止め機能を果たす部位である。凹部３７は、図５及び図６で示すように、コード接続式マルチタップ３の直方体状の構造におけるコード側前壁部３３からＹ方向における後方にくぼんで形成されている。別の観点から凹部３７は、底部３１のＹ方向における前端において、Ｚ方向における下端から上方に伸長する直方体状に欠落した部分として形成されている。マルチタップ組合せ体１００は、比較的単純な構成である凸部１６と凹部３７とによって容易に嵌合構造を形成することができる。
【００６２】
凹部３７は、凸部１６に対して同じか僅かに大きな寸法で形成されていれば良い。これによって、凸部１６は、凹部３７に対して嵌合中に引っかかることがなく、逆に、凸部１６と凹部３７とが嵌合後に緩んで、がたがたになることもない。
【００６３】
凹部３７は、先端面部３８と、上面部３９と、２つの側面部４０、４０とによって囲まれた空間である。先端面部３８、上面部３９及び２つの側面部４０、４０は、差込式マルチタップ１とコード接続式マルチタップ３とが連結した際に、それぞれ差込式マルチタップ１の凸部１６における先端面部１８、上面部１９及び２つの側面部２０、２０と対向するように構成されている。
【００６４】
先端面部３８は、２つの側面部４０、４０におけるそれぞれの後端の間をＸ方向及びＺ方向に沿って伸長している。
【００６５】
上面部３９は、図６で示すように、先端面部３８及び２つの側面部４０、４０の３方で囲まれた領域において、先端面部３８及び２つの側面部４０、４０のＺ方向における上端を結ぶようにしてＸＹ平面に沿って伸長している。
【００６６】
底部３１には、上面部３９をＺ方向に貫通する一対の刃受け孔４１が設けられている。刃受け孔４１は、商用電源の供給を受けるプラグ受けとして、差込式マルチタップ１のプラグ栓刃２１が差し込まれる部位である。一対の刃受け孔４１は、図６で示すように、平面視で凹部３７の領域内に形成されている。一対の刃受け孔４１は、図６で示すように、Ｘ方向に対してＹ方向により長い底面視で長方形状の貫通孔がそれぞれＹ方向に沿って互いに平行に伸長するように形成されている。コード接続式マルチタップ３の内部には、コード３０Ａの先端に取り付けられている一対の刃受け３６が一対の刃受け孔４１に対応して配置されている（図６参照）。
【００６７】
一対の刃受け孔４１は、Ｚ方向に伸長している一対のプラグ栓刃２１を収容するように構成されている。上述のように、一対のプラグ栓刃２１は、平面視で凸部１６の領域内に形成されており、一対の刃受け孔４１は、平面視で凹部３７の領域内に形成されている。このため、凸部１６と凹部３７とによる嵌合構造によって、プラグ栓刃２１と刃受け孔４１との間に塵埃等の異物が侵入することを防ぐことができる。
【００６８】
差込式マルチタップ１とコード接続式マルチタップ３との連結後の双方の間には、コード３０Ａの伸長方向、すなわちＹ方向における引っ張り（互いに離れる方向）の荷重が最も作用しやすい。これに対して、一対の刃受け孔４１は、Ｚ方向に挿抜される一対のプラグ栓刃２１を収容するように構成されている。すなわち、刃受け孔４１は、筐体３０ＢのＹ方向における後側からから前側に伸長する方向に対して交差する方向に伸長するように貫通している。換言すると、マルチタップ組合せ体１００は、プラグ栓刃２１の挿抜方向が、コード接続式マルチタップ３と差込式マルチタップ１との間に生じる引っ張りの荷重のＹ方向に対して交差するＺ方向となるように構成されている。このため、マルチタップ組合せ体１００は、コード接続式マルチタップ３に対して特にＹ方向に引っ張り等の外力が作用しても、その分力がＺ方向のプラグ栓刃２１の挿抜力としては作用せず、刃受け孔４１からプラグ栓刃２１が抜けにくい構成とされている。
【００６９】
上面部３９は、差込式マルチタップ１とコード接続式マルチタップ３とが連結した際に、差込式マルチタップ１の上面部１９に対してＺ方向において同じか僅かに上方に位置するように形成されていれば良い。これによって、差込式マルチタップ１とコード接続式マルチタップ３とが連結した際に、プラグ栓刃２１が刃受け孔４１に確実に差し込まれるとともに、一体化したマルチタップ組合せ体１００の直方体状の構造からＺ方向にはみ出す部分が形成されてしまうことを防ぐことができる。
【００７０】
別の観点から、プラグ栓刃２１が刃受け孔４１に完全に差し込まれた際に、凸部１６の下面部１７は、コード接続式マルチタップ３のコード側下壁部３５と面一の構成とすることができる。マルチタップ組合せ体１００は、このように構成されることで、コード側下壁部３５に対する下面部１７の浮きを見ることで、差込式マルチタップ１とコード接続式マルチタップ３との不完全な嵌合を防ぎ、双方の嵌合状態が完全か否かを判別することができる。そして、マルチタップ組合せ体１００は、このような構成によれば、連結されている差込式マルチタップ１とコード接続式マルチタップ３との特にＹ方向における前側と後側とでの傾斜を判別しやすい。
【００７１】
刃受け孔４１は、プラグ栓刃２１に対応した形状で構成されていれば良い。したがって、刃受け孔４１は、プラグ栓刃２１と同様に、互いに平行ではない２極のプラグや円筒状のプラグ等の世界中で用いられている種々の形状であっても良い。さらに、刃受け孔４１は、接地極等を含んだ３本以上による構成であっても良い。
【００７２】
２つの側面部４０、４０は、Ｙ方向とＺ方向とに沿ってそれぞれ伸長している。２つの側面部４０、４０の間の距離は、図６で示すように、コード接続式マルチタップ３のコード側横壁部３４、３４の間の距離（Ｘ方向（短手方向）における長さ）よりも小さく形成されている。
【００７３】
２つの側面部４０、４０は、差込式マルチタップ１に対してコード接続式マルチタップ３が連結される際に、差込式マルチタップ１の２つの側面部２０、２０に沿って移動するように構成されている。同様に、先端面部３８は、差込式マルチタップ１に対してコード接続式マルチタップ３が連結される際に、差込式マルチタップ１の先端面部１８に沿って移動するように構成されている。すなわち、マルチタップ組合せ体１００は、差込式マルチタップ１に対してコード接続式マルチタップ３が連結及び連結解除される際に、凹部３７の３つの面が凸部１６の３つの面に沿って挿抜されるように構成されている。
【００７４】
このため、マルチタップ組合せ体１００は、差込式マルチタップ１に対してコード接続式マルチタップ３が、特に連結の際に、３つの対向面によって正しい位置に調整されるように導かれるので、正しく、かつ確実に連結しやすい。したがって、マルチタップ組合せ体１００は、コード接続式マルチタップ３の刃受け孔４１に対して差込式マルチタップ１のプラグ栓刃２１を差し込む際に、差込式マルチタップ１が特にＹ方向における前側と後側とで傾斜しにくい。よって、マルチタップ組合せ体１００は、コード接続式マルチタップ３に対して差込式マルチタップ１が挿入時に傾斜しないので、プラグ栓刃２１や刃受け３６、刃受け孔４１の周囲等が損傷しにくい。
【００７５】
２つの側面部４０、４０のそれぞれには、「第２のかみ合い部」としてのかみ合い軸４２、４２が形成されている。かみ合い軸４２、４２は、差込式マルチタップ１とコード接続式マルチタップ３との連結中及び連結後において、双方の連結方向（プラグ栓刃２１の挿抜方向）と交差する方向、特にＹ方向に互いにずれることを規制する機能を果たす部位である。
【００７６】
かみ合い軸４２、４２のそれぞれは、図６で示すように、平面視で２つの側面部４０、４０からＸ方向において互いに近づく方向に突出しており、Ｘ方向と比べてＹ方向により長い長方形状に形成されている。そして、かみ合い軸４２、４２のそれぞれは、凹部３７のＺ方向における上端から下端まで形成されており、Ｚ方向に沿って直方体状に出っ張った形状とされている。
【００７７】
かみ合い軸４２、４２は、刃受け孔４１に対するプラグ栓刃２１の挿抜方向に沿って伸長している。そして、かみ合い軸４２、４２は、差込式マルチタップ１とコード接続式マルチタップ３との連結中及び連結後にそれぞれかみ合い溝２２、２２とかみ合うように構成されている。かみ合い軸４２、４２は、かみ合い溝２２、２２とかみ合うことで、差込式マルチタップ１とコード接続式マルチタップ３との連結中には特にＹ方向にずれが生じず正しい位置に収まるように機能する。
【００７８】
かみ合い軸４２、４２及びかみ合い溝２２、２２は、差込式マルチタップ１とコード接続式マルチタップ３との間に生じる引っ張りの荷重のＹ方向に対して交差する方向に伸長している。このため、マルチタップ組合せ体１００は、コード接続式マルチタップ３に対して特にＹ方向に引っ張り等の外力が作用しても、その分力がかみ合い軸４２、４２及びかみ合い溝２２、２２の伸長方向、すなわち刃受け孔４１に対するプラグ栓刃２１の挿抜方向には生じず、プラグ栓刃２１がより抜けにくく構成されている。
【００７９】
さらに、差込式マルチタップ１とコード接続式マルチタップ３との連結後にマルチタップ組合せ体１００が特にＹ方向の外力を受けた際には、かみ合い軸４２、４２がかみ合い溝２２、２２と当たることでプラグ栓刃２１と刃受け孔４１とに応力が生じることが阻止される。したがって、マルチタップ組合せ体１００は、プラグ栓刃２１と刃受け３６とに接触不良が生じることを防いで発熱等の不具合を防ぐことができる。
【００８０】
２つの側面部４０、４０は、それぞれ背後（Ｘ方向における両外端）に「筐体３０Ｂ」としての構造の広がりを有しており、凹部３７とコード接続式マルチタップ３のＸ方向における両外方とを各々隔てる壁部４３、４３を形成している。壁部４３、４３は、Ｘ方向における両外側から凹部３７を挟んで、それぞれ上面部３９から刃受け孔４１の伸長方向に沿って下方に突出している。このように、マルチタップ組合せ体１００は、コード接続式マルチタップ３に壁部４３、４３を有することで、連結される凸部１６が壁部４３、４３よりもＸ方向における内側に位置しており、２つの側面部２０、２０が露出しない構成である。このため、側面部２０、２０に指等が意図せず当たってコード接続式マルチタップ３から差込式マルチタップ１が抜けてしまうことがない。
【００８１】
コード接続式マルチタップ３は、底部３１から蓋部３２にまたがって、平面視でＬ字状に欠落した２つの軌道溝４４、４４を有している。軌道溝４４、４４は、コード接続式マルチタップ３に対して差込式マルチタップ１を連結するに際して正しい位置に案内する部位である。軌道溝４４、４４は、図６で示すように、Ｚ方向における上方にくぼんだ溝がコード側前壁部３３から後方に伸長し、それぞれの後端からＸ方向（コード接続式マルチタップ３の短手方向）における外方に屈曲して伸長している。軌道溝４４、４４は、底（平）面視で差込式マルチタップ１の突片２３、２３よりも一回り大きな寸法で形成されている。
【００８２】
軌道溝４４、４４は、刃受け孔４１に対するプラグ栓刃２１の挿抜方向に沿って伸長している。そして、軌道溝４４、４４は、差込式マルチタップ１とコード接続式マルチタップ３との連結中及び連結後にそれぞれ突片２３、２３とかみ合うように構成されている。
【００８３】
軌道溝４４、４４は、図５で示すように、双方ともに、底部３１のＺ方向における下端から蓋部３２の上方に向かって伸長しており、蓋部３２の上下方向の中途まで形成されている。すなわち、軌道溝４４、４４は、突片２３、２３と同様に、蓋部３２の上側の領域には形成されていない。そして、軌道溝４４、４４は、突片２３、２３よりもＺ方向における上方まで形成されている。これによって、マルチタップ組合せ体１００は、差込式マルチタップ１とコード接続式マルチタップ３とが完全に連結した状態であっても、突片２３、２３の上端である突片上端部２５が軌道溝４４、４４には接触しないように構成されている。
【００８４】
突片２３、２３及び軌道溝４４、４４は、差込式マルチタップ１に対してコード接続式マルチタップ３を連結する際に、相互にスライド移動して正しい位置で嵌合するように案内することができる。さらに、突片２３、２３と軌道溝４４、４４とは、差込式マルチタップ１とコード接続式マルチタップ３とが連結している際の外力を受け止めることができる。したがって、マルチタップ組合せ体１００は、突片２３、２３と軌道溝４４、４４とを有することで、かみ合い溝２２、２２とかみ合い軸４２、４２とに生じる応力を分散することができる。
【００８５】
変形例
【００８６】
前記実施形態では、１つのコード接続式マルチタップ３と１つの差込式マルチタップ１とが連結する例を示した。しかしながら、１つのコード接続式マルチタップ３に対して、複数の差込式マルチタップ１を数珠繋ぎに連結する構成とすることもできる。このためには、例えば、差込式マルチタップ１の底部１１のＹ方向における前端にコード接続式マルチタップ３と同様の凹部３７を設けように変形することで実現することができる。このように変形した差込式マルチタップ１は中継用接続器として構成され、これに接続する差込式マルチタップ１は端末用接続器として構成され、これらの中継用接続器と端末用接続器はいずれも分岐用接続器を構成する。これによって、商用電源をより多数の電気機器に分岐接続することができる。
【００８７】
前記実施形態では、差込式マルチタップ１が「第１の嵌合部」としての凸部１６を有し、コード接続式マルチタップ３には、「第２の嵌合部」としての凹部３７が形成されている例を示した。しかしながら、「第１の嵌合部」と「第２の嵌合部」とは、互いに嵌合する形状であれば良く、凸部１６と凹部３７とが逆に設けられていても良い。これによって、マルチタップ組合せ体１００は、プラグ栓刃２１を直方体状の構造からはみ出さない（プラグ栓刃２１を凹部３７の領域内に収容する）ように構成することができる。
【００８８】
さらに、前記実施形態では、凸部１６と凹部３７とがともに直方体状の構造の例を示した。しかしながら、凸部１６及び凹部３７は、直方体状である必要はなく、例えば円柱状や多角柱状の構造とすることもできる。
【００８９】
前記実施形態では、差込式マルチタップ１が「第１のかみ合い部」としてのかみ合い溝２２、２２を有し、コード接続式マルチタップ３には、「第２のかみ合い部」としてのかみ合い軸４２、４２が形成されている例を示した。しかしながら、「第１のかみ合い部」と「第２のかみ合い部」とは、互いにかみ合いする形状であれば良く、かみ合い溝２２、２２とかみ合い軸４２、４２とが逆に設けられていても良い。
【００９０】
さらに、前記実施形態では、かみ合い溝２２、２２とかみ合い軸４２、４２とがともに平面視でＬ字状の構造の例を示した。しかしながら、かみ合い溝２２、２２及びかみ合い軸４２、４２は、Ｌ字状である必要はなく、例えばかぎ状やクランク状の構造とすることもできる。
【符号の説明】
【００９１】
１      差込式マルチタップ（分岐用接続器、配線用差込接続器）
３      コード接続式マルチタップ（コード付延長用接続器、配線用差込接続器）
１０      筐体
１１      底部
１２      蓋部
１３      差込側後壁部
１４      差込側横壁部
１５      差込側下壁部
１６      凸部（第１の嵌合部）
１７      下面部
１８      先端面部
１９      上面部
２０      側面部
２１      プラグ栓刃
２２      かみ合い溝（第１のかみ合い部）
２３      突片
２４      蓋部上端部
２５      突片上端部
２６      段差部
２７      刃受け孔
３０Ａ    コード
３０Ｂ    筐体
３１      底部
３２      蓋部
３３      コード側前壁部
３４      コード側横壁部
３５      コード側下壁部
３６      刃受け
３７      凹部（第２の嵌合部）
３８      先端面部
３９      上面部
４０      側面部
４１      刃受け孔
４２      かみ合い軸（第２のかみ合い部）
４３      壁部
４４      軌道溝
１００      マルチタップ組合せ体（配線用差込接続器）
【図１】
2019186071.tif 000003
【図２】
2019186071.tif 000004
【図３】
2019186071.tif 000005
【図４】
2019186071.tif 000006
【図５】
2019186071.tif 000007
【図６】
2019186071.tif 000008
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
第１の筐体と、
前記第１の筐体の一方側に位置するプラグ栓刃と、
前記一方側から前記第１の筐体の他方側に向かって各々離間して位置し、前記プラグ栓刃と電気的に各々接続した複数の刃受けと、
前記複数の刃受けに対応して設ける複数の刃受け孔とを備える分岐用接続器において、
前記一方側には、前記プラグ栓刃を接続するコード付延長用接続器と嵌合する第１の嵌合部を有し、
前記プラグ栓刃は、前記第１の嵌合部に設けられ、前記一方側から前記他方側に伸長する方向に対して交差する方向に伸長し、
前記第１の筐体は、前記一方側に、前記コード付延長用接続器が前記一方側に向かって離間する方向の動きを止めるように前記コード付延長用接続器とかみ合う突片を有し、
前記突片は、前記プラグ栓刃の伸長する方向に沿って伸長し、
前記第１の嵌合部は、前記突片とかみ合った状態の前記コード付延長用接続器とかみ合う第１のかみ合い部を有し、
前記第１のかみ合い部は、前記プラグ栓刃の伸長する方向に沿って伸長することを特徴とする分岐用接続器。
【請求項２】
前記突片は、さらに、前記一方側から前記他方側に伸長する方向に対して交差する方向に伸長する
請求項１記載の分岐用接続器。
【請求項３】
前記第１の嵌合部は、前記第１の筐体から前記一方側に突出する凸部である
請求項１又は請求項２記載の分岐用接続器。
【請求項４】
前記プラグ栓刃の伸長する方向の端において、前記第１の筐体と前記突片との間に段差部を有する
請求項１〜請求項３いずれか１項記載の分岐用接続器。
【請求項５】
第２の筐体と、
前記第２の筐体の一方側から伸長し電源を供給するコードと、
前記第２の筐体の他方側に位置し、前記コードと電気的に接続する刃受けと、
前記刃受けに対応して設ける刃受け孔とを備え、
請求項１〜請求項４いずれか１項記載の分岐用接続器と嵌合するコード付延長用接続器において、
前記他方側には、前記刃受けに接続する前記プラグ栓刃を有する前記第１の嵌合部と嵌合する第２の嵌合部を有し、
前記刃受け孔は、前記第２の嵌合部に設けられ、前記一方側から前記他方側に伸長する方向に対して交差する方向に伸長するように貫通することを特徴とするコード付延長用接続器。
【請求項６】
前記第２の嵌合部は、平面部を有し、
前記刃受け孔は、前記平面部を貫通するように形成されており、
前記第２の嵌合部は、前記第２の筐体から前記一方側にくぼむ前記平面部を底面とする凹部である
請求項５記載のコード付延長用接続器。
【請求項７】
前記凹部を両外側から挟み、前記刃受け孔の伸長する方向に沿って突出する壁部を有する
請求項６記載のコード付延長用接続器。
【請求項８】
前記第２の嵌合部は、前記分岐用接続器とかみ合う第２のかみ合い部を有し、
前記第２のかみ合い部は、前記刃受け孔の伸長する方向に沿って伸長する
請求項５〜請求項７いずれか１項記載のコード付延長用接続器。
【請求項９】
前記第２の筐体は、前記他方側に、前記分岐用接続器とかみ合う軌道溝を有し、
前記軌道溝は、前記刃受け孔の伸長する方向に沿って伸長する
請求項５〜請求項８いずれか１項記載のコード付延長用接続器。
【手続補正２】
【補正対象書類名】明細書
【補正対象項目名】００３９
【補正方法】変更
【補正の内容】
【００３９】
差込式マルチタップ１は、入力された商用電源を複数に分岐接続する「分岐用接続器」として構成されている。差込式マルチタップ１は、図１及び図２で示すように、升状の底部１１と、底部１１の形状に対応して升状の天地が逆転した形状の蓋部１２とを有している。底部１１及び蓋部１２は、電気絶縁性の樹脂による成形体であって、差込式マルチタップ１の「第１の筐体」としての筐体１０を構成する。そして、差込式マルチタップ１は、Ｚ方向における下側に位置する底部１１に対して上側から蓋部１２が覆うように連結することで、「一方側」としてのＹ方向における後方から「他方側」としてのＹ方向における前方により長く伸長する中空の直方体状に形成されている。
【手続補正３】
【補正対象書類名】明細書
【補正対象項目名】００５６
【補正方法】変更
【補正の内容】
【００５６】
コード接続式マルチタップ３は、入力された商用電源を延長接続する「コード付延長用接続器」として構成されている。コード接続式マルチタップ３は、図５で示すように、升状の底部３１と、底部３１の形状に対応して升状の天地が逆転した形状の蓋部３２とを有している。底部３１及び蓋部３２は、電気絶縁性の樹脂による成形体であって、コード接続式マルチタップ３の「第２の筐体」としての筐体３０Ｂを構成する。そして、コード接続式マルチタップ３は、Ｚ方向における下側に位置する底部３１に対して上側から蓋部３２が覆うように連結することで、「一方側」としてのＹ方向における後方から「他方側」としてのＹ方向における前方により長く伸長する中空の直方体状に形成されている（図１及び図２参照）。例えば、コード接続式マルチタップ３は、Ｘ方向及びＺ方向において差込式マルチタップ１と同じ長さを有して構成されている（図２参照）。
【手続補正４】
【補正対象書類名】明細書
【補正対象項目名】００６３
【補正方法】変更
【補正の内容】
【００６３】
凹部３７は、先端面部３８と、「平面部」としての上面部３９と、２つの側面部４０、４０とによって囲まれた空間である。先端面部３８、上面部３９及び２つの側面部４０、４０は、差込式マルチタップ１とコード接続式マルチタップ３とが連結した際に、それぞれ差込式マルチタップ１の凸部１６における先端面部１８、上面部１９及び２つの側面部２０、２０と対向するように構成されている。
【手続補正５】
【補正対象書類名】明細書
【補正対象項目名】００９１
【補正方法】変更
【補正の内容】
【００９１】
１      差込式マルチタップ（分岐用接続器、配線用差込接続器）
３      コード接続式マルチタップ（コード付延長用接続器、配線用差込接続器）
１０      筐体（第１の筐体）
１１      底部
１２      蓋部
１３      差込側後壁部
１４      差込側横壁部
１５      差込側下壁部
１６      凸部（第１の嵌合部）
１７      下面部
１８      先端面部
１９      上面部
２０      側面部
２１      プラグ栓刃
２２      かみ合い溝（第１のかみ合い部）
２３      突片
２４      蓋部上端部
２５      突片上端部
２６      段差部
２７      刃受け孔
３０Ａ    コード
３０Ｂ    筐体（第２の筐体）
３１      底部
３２      蓋部
３３      コード側前壁部
３４      コード側横壁部
３５      コード側下壁部
３６      刃受け
３７      凹部（第２の嵌合部）
３８      先端面部
３９      上面部（平面部）
４０      側面部
４１      刃受け孔
４２      かみ合い軸（第２のかみ合い部）
４３      壁部
４４      軌道溝
１００      マルチタップ組合せ体（配線用差込接続器）